(57)【要約】      （修正有）【課題】より手軽にかつ清潔にレンズケースを自然乾燥させ得るようにする。【解決手段】コンタクトレンズケアセットは、レンズケア剤が収容される自立可能なケア剤容器１と、コンタクトレンズを保管するためのレンズケース２とを含む。レンズケース２は、レンズを収容するためのレンズ収納用凹部を有するケース本体２０とこれにヒンジ２６を介して連結されるケースキャップ２４とを有する。ケア剤容器１は押し上げ式の上蓋１６を有し、この上蓋１６には押し上げ操作用の鍔部１８が形成されている。そして、レンズケース２のケース本体２０には、この鍔部１８に嵌合可能な嵌合用凹部２８が形成されており、レンズ収納用凹部が下向きになる裏向きの姿勢で嵌合用凹部２８と鍔部１８とを嵌合させることにより、レンズケース２をケア剤容器１によって保持できるように構成されている。【選択図】図４
2010178994.tif 000002
【特許請求の範囲】
【請求項１】
コンタクトレンズをケアするためのレンズケア剤が収容される自立可能なケア剤容器と、コンタクトレンズの収納用凹部を有するケース本体および前記収納用凹部を塞ぐケースキャップを備えたレンズケースと、を含むコンタクトレンズケアセットであって、
前記ケア剤容器および前記レンズケースのケース本体に、互いに嵌合可能な嵌合部が設けられており、これら嵌合部を互いに嵌合させることにより、前記収納用凹部が空中に位置する状態でケース本体がケア剤容器により保持されるように前記レンズケースおよびケア剤容器が構成されていることを特徴とするコンタクトレンズケアセット。
【請求項２】
請求項１に記載のコンタクトレンズケアセットにおいて、
前記ケア剤容器および前記ケース本体の各嵌合部は、前記収納用凹部が下に向くケース本体の裏向きの姿勢で互いに嵌合可能に設けられていることを特徴とするコンタクトレンズケアセット。
【請求項３】
請求項１又は２に記載のコンタクトレンズケアセットにおいて、
前記ケア剤容器は、上端部分に注ぎ口を備えた容器本体とこれにヒンジを介して連結されて前記注ぎ口を塞ぐ容器キャップとを備え、当該容器キャップを前記容器本体に対して押し上げることにより前記注ぎ口を開放するものであり、
前記容器キャップに前記ケア剤容器側の嵌合部を兼ねるキャップ押上げ操作用の鍔部が形成される一方、前記レンズケース側の嵌合部として前記ケース本体に前記鍔部と嵌合可能な嵌合用凹部が設けられていることを特徴とするコンタクトレンズケアセット。
【請求項４】
請求項３に記載のコンタクトレンズケアセットにおいて、
前記鍔部および嵌合用凹部は、互いに嵌合した状態でケア剤容器に対してその外側から内側に向かって先下がりに傾いた姿勢で前記ケース本体が保持されるとともに当該ケース本体の傾きの方向に沿って互いに嵌脱されるように形成されていることを特徴とするコンタクトレンズケアセット。
【請求項５】
請求項１乃至４の何れか一項に記載のコンタクトレンズケアセットにおいて、
前記レンズケースは、前記ケースキャップがヒンジを介して前記ケース本体に一体に連結されたものであることを特徴とするコンタクトレンズケアセット。
【請求項６】
請求項５に記載のコンタクトレンズケアセットにおいて、
前記レンズケースは、一対の前記収納用凹部とこれらの収納用凹部を塞ぐ一対の前記ケースキャップとを有し、各ケースキャップは、前記ケース本体のうち前記収納用凹部の並び方向外側の位置にそれぞれ前記ヒンジを介して連結されるとともに当該ケース本体に対して前記並び方向外側に展開して前記収納用凹部を開くように設けられ、ケース本体側の前記嵌合部は、ケース本体のうち前記並び方向の中間位置に設けられていることを特徴とするコンタクトレンズケアセット。
【請求項７】
請求項１乃至４の何れか一項に記載のコンタクトレンズケアセットにおいて、
前記レンズケースは前記ケース本体と前記ケースキャップとが別体に設けられるものであり、前記ケース本体およびケースキャップは互いに係合可能な係合部を有し、これら係合部は、前記ケース本体のうち前記収納用凹部に重ならない位置において前記収納用凹部を塞ぐときとは反対向きの姿勢で前記ケース本体に対して前記ケースキャップを係止するように設けられていることを特徴とするコンタクトレンズケアセット。
【請求項８】
請求項７に記載のコンタクトレンズケアセットにおいて、
前記レンズケースは、一対の前記収納用凹部とこれらの収納用凹部を塞ぐ一対の前記ケースキャップとを有し、前記係合部は、前記ケース本体のうち前記収納用凹部の並び方向両端の位置に、当該ケース本体からそれぞれ外側にははみ出す状態で前記各キャップを係止するように設けられており、ケース本体側の前記嵌合部は、ケース本体のうち前記並び方向の中間位置に設けられていることを特徴とするコンタクトレンズケアセット。
【請求項９】
請求項１乃至８の何れか一項に記載のコンタクトレンズケアセットにおいて、
前記ケア剤容器および前記ケース本体の各嵌合部は、前記ケースキャップを外して収納用凹部を開放した状態でのみ互いに嵌合するように設けられていることを特徴とするコンタクトレンズケアセット。
【請求項１０】
請求項１乃至９の何れか一項に記載のコンタクトレンズケアセットにおいて、
前記ケア剤容器および前記ケース本体のうち一方側の嵌合部は、当該嵌合部が設けられるケア剤容器又はケース本体に対して着脱可能であることを特徴とするコンタクトレンズケアセット。
【請求項１１】
請求項１乃至１０の何れか一項に記載のコンタクトレンズケアセットに適用されるレンズケースであって、
コンタクトレンズの収納用凹部を有するケース本体と、前記収納用凹部を塞ぐケースキャップとを備え、
前記ケース本体は、前記ケア剤容器側の前記嵌合部に嵌合可能な相手側嵌合部を備え、この相手側嵌合部をケア剤容器側の嵌合部と嵌合させることにより前記収納用凹部が空中に位置する状態でケア剤容器により保持されるように構成されていることを特徴とするレンズケース。
【請求項１２】
請求項１乃至１０の何れか一項に記載のコンタクトレンズケアセットに適用されるケア剤容器であって、
自立可能に形成されるとともに前記レンズケースのケース本体側の前記嵌合部と嵌合可能な相手側嵌合部を備え、前記ケース本体側の嵌合部を前記相手側嵌合部に嵌合させることにより前記収納用凹部が空中に位置する状態で前記ケース本体を保持するように構成されていることを特徴とするケア剤容器。
【発明の詳細な説明】
【技術分野】
【０００１】
本発明は、コンタクトレンズをケアするためのコンタクトレンズケアセット、このコンタクトレンズケアセットに含まれるレンズケースおよびケア剤容器に関するものである。
【背景技術】
【０００２】
コンタクトレンズは、細菌感染による眼疾患から眼球を保護するために常に清潔に保つ必要がある。一般には、就寝前などにレンズケア剤（液）を使ってコンタクトレンズ（以下、単にレンズと略す）を洗浄・消毒し、翌朝の使用時まで、レンズケア剤にレンズを浸漬した状態でレンズケース内に保管することが行われる。
【０００３】
なお、レンズケースについても、雑菌の繁殖やレンズへの雑菌の転移を防止するためにレンズと同様に清潔に保つ必要があり、翌朝レンズを着用した後は、十分に水洗いした上で乾燥させ、次回の使用まで保管しておくようにする。
【０００４】
従来のレンズケースは、左右のレンズをそれぞれ収納するための２つのレンズ収納部を備えたケース本体と各レンズ収納部をそれぞれ塞ぐためのキャップとから構成されており、レンズケースを乾燥させる際には、次回の使用に備えて、ケース本体とキャップとを分離した状態で洗面台等に直接置いて自然乾燥させるのが一般的である。しかし、この場合には、レンズ収納部の口部やキャップの口部と載置面との間に水が残ってなかなか乾燥が進まない場合も多い。そこで、例えば特許文献１には、このようなレンズケースの乾燥に便利な補助具（ケースホルダー）が開示されている。
【０００５】
このケースホルダーは、ケース本体およびキャップをうつ伏せ（つまり、ケース本体はレンズ収納部が下向きになる状態、キャップはその内天面が下向きになる状態）に載置した状態で自然乾燥させるための乾燥台であって、ケース本体についてはレンズ収納部の外側の位置を支持し、キャップについてはその口部を部分的に支持する構成となっている。このようにケース本体やキャップをうつ伏せにすることでレンズ収納部等へのホコリや雑菌の侵入、付着を抑え、又レンズ収納部やキャップの口部に極力触れることなくケース本体等を支持することで、レンズ収納部内等への雑菌の転移を抑えるようになっている。なお、ケースホルダーには吸盤が設けられており、洗面台の鏡等に容易に取付けて使用できる構成となっている。
【先行技術文献】
【特許文献】
【０００６】
【特許文献１】登録実用新案公報第３１１２５５２号公報
【発明の概要】
【発明が解決しようとする課題】
【０００７】
上記のケースホルダーは、レンズケースを清潔に乾燥させる上で有用である。しかし、旅行等への携帯を想定すると、レンズケースとケア剤容器を準備した上でさらにケースホルダーまでも必要となるのは煩雑である。また、上記のようなケースホルダーでは、キャップについては部分的にその口部を支持した状態で乾燥させるため、キャップへの雑菌の転移を考えると、ケースホルダーをある程度清潔に保つ必要があり、その管理、取扱いが煩雑なものとなる。
【０００８】
本発明はこのような事情に鑑みて成されたものであり、より手軽にかつ清潔にレンズケースを自然乾燥できるようにする、ことを目的とする。
【課題を解決するための手段】
【０００９】
上記課題を解決するための本発明は、コンタクトレンズをケアするためのレンズケア剤が収容される自立可能なケア剤容器と、コンタクトレンズの収納用凹部を有するケース本体および前記収納用凹部を塞ぐケースキャップを備えたレンズケースと、を含むコンタクトレンズケアセットであって、前記ケア剤容器および前記レンズケースのケース本体に、互いに嵌合可能な嵌合部が設けられており、これら嵌合部を互いに嵌合させることにより、前記収納用凹部が空中に位置する状態でケース本体がケア剤容器により保持されるように前記レンズケースおよびケア剤容器が構成されているものである。詳しくは、前記ケア剤容器および前記ケース本体の各嵌合部は、前記収納用凹部が下に向くケース本体の裏向きの姿勢で互いに嵌合可能に設けられている。
【００１０】
このようなコンタクトレンズケアセットによれば、前記嵌合部を互いに嵌合させることで、ケース本体を裏向きの姿勢で、しかも収納用凹部が空中に位置する状態でケア剤容器に保持させることが可能となる。つまり、ケア剤容器をレンズケースの乾燥台として用いることができる。そのため、専用のケースホルダーを用いることなく、水洗後のレンズケースを良好に自然乾燥させることができるようになる。
【００１１】
より具体的には、前記ケア剤容器は、上端部分に注ぎ口を備えた容器本体とこれにヒンジを介して連結されて前記注ぎ口を塞ぐ容器キャップとを備え、当該容器キャップを前記容器本体に対して押し上げることにより前記注ぎ口を開放するものであり、前記容器キャップに前記ケア剤容器側の嵌合部を兼ねるキャップ押上げ操作用の鍔部が形成される一方、前記レンズケース側の嵌合部として前記ケース本体に前記鍔部と嵌合可能な嵌合用凹部が設けられているものである。
【００１２】
すなわち、このコンタクトレンズケアセットでは、ケア剤容器の容器キャップに設けられるキャップ押上げ操作用の鍔部にケース本体の嵌合用凹部を嵌合させれば、ケース本体をケア剤容器に保持させることができる。この構成によれば、ケア剤容器のキャップ押上げ操作用の鍔部をケア剤容器側の嵌合部として兼用した合理的な構成となる。
【００１３】
この場合、前記鍔部および嵌合用凹部は、互いに嵌合した状態でケア剤容器に対してその外側から内側に向かって先下がりに傾いた姿勢で前記ケース本体が保持され、かつ当該ケース本体の傾きの方向に沿って互いに嵌脱するように形成されているのが望ましい。
【００１４】
この構成によれば、ケア剤容器に対して重心位置をより近づけた状態でケース本体をケア剤容器に保持させることができ、また、ケア剤容器からのケース本体の脱落も起き難くなる。そのため、ケア剤容器によってより安定的にケース本体を保持することが可能となる。
【００１５】
なお、上記の各コンタクトレンズケアセットにおいて、前記レンズケースは、前記ケースキャップがヒンジを介して前記ケース本体に一体に連結されたものであるのが望ましい。
【００１６】
この構成によれば、ケースキャップを開いた状態でケース本体をケア剤容器に保持させれば、ケースキャップをケース本体と共に難なくケア剤容器に保持させることができ、レンズケースの全体をケア剤容器に一体に保持させた状態で乾燥させることができる。
【００１７】
この場合、前記レンズケースは、一対の前記収納用凹部とこれら収納用凹部を塞ぐ一対の前記ケースキャップとを有し、各ケースキャップは、前記ケース本体のうち前記収納用凹部の並び方向外側の位置にそれぞれ前記ヒンジを介して連結されるとともに当該ケース本体に対して前記並び方向外側に展開して前記収納用凹部を開くように設けられ、ケース本体側の前記嵌合部は、ケース本体のうち前記並び方向の中間位置に設けられているのが好適である。
【００１８】
この構成によると、収納用凹部からケースキャップを外した状態で、レンズケース全体をバランス良くケア剤容器に保持させることができる。
【００１９】
なお、別の構成として、前記レンズケースは前記ケース本体と前記ケースキャップとが別体に設けられるものであり、前記ケース本体およびケースキャップは互いに係合可能な係合部を有し、これら係合部は、前記ケース本体のうち前記収納用凹部に重ならない位置において前記収納用凹部を塞ぐときとは上下反対向きの姿勢で前記ケース本体に対して前記ケースキャップを係止するように設けられているものであってもよい。
【００２０】
この構成によれば、ケース本体とケースキャップとが別体に設けられるレンズケースについても、ケースキャップをケース本体と共にケア剤容器に保持させることができる。つまり、レンズケースの全体をケア剤容器に一体に保持させて乾燥させることができる。しかも、収納用凹部を塞ぐときとは反対向きの姿勢でケースキャップをケース本体に対して係止する構成なので、各ケースキャップをその内天面が下向きになる姿勢に保った状態で乾燥させることができる。
【００２１】
この場合、前記レンズケースは、一対の前記収納用凹部とこれらの収納用凹部を塞ぐ一対の前記ケースキャップとを有し、前記係合部は、前記ケース本体のうち前記収納用凹部の並び方向両端の位置に、当該ケース本体からそれぞれ外側にはみ出す状態で前記各キャップを係止するように設けられており、ケース本体側の前記嵌合部は、ケース本体のうち前記並び方向の中間位置に設けられているのが好適である。
【００２２】
この構成によると、レンズケース全体をバランス良くケア剤容器に保持させることが可能となる。
【００２３】
また、上記の各コンタクトレンズケアセットにおいて、前記ケア剤容器および前記ケース本体の各嵌合部は、前記ケースキャップを外して収納用凹部を開放した状態でのみ互いに嵌合するように設けられているのが好適である。
【００２４】
この構成によれば、ケースキャップを装着したままレンズケースを乾燥させるといったミスを回避する上で有効となる。
【００２５】
なお、前記ケア剤容器および前記ケース本体のうち一方側の嵌合部は、当該嵌合部が設けられるケア剤容器又はケース本体に対して着脱可能なものであってもよい。
【００２６】
一方、本発明に係るレンズケースは、上記コンタクトレンズケアセットに適用されるレンズケースであって、コンタクトレンズの収納用凹部を有するケース本体と、前記収納用凹部を塞ぐケースキャップとを備え、前記ケース本体は、前記ケア剤容器側の前記嵌合部に嵌合可能な相手側嵌合部を備え、この相手側嵌合部をケア剤容器側の嵌合部と嵌合させることにより前記収納用凹部が空中に位置する状態でケア剤容器により保持されるように構成されているものである。
【００２７】
また、本発明に係るケア剤容器は、上記コンタクトレンズケアセットに適用されるケア剤容器であって、自立可能に形成されるとともに前記レンズケースのケース本体側の前記嵌合部と嵌合可能な相手側嵌合部を備え、前記ケース本体側の嵌合部を前記相手側嵌合部に嵌合させることにより前記収納用凹部が空中に位置する状態で前記ケース本体を保持するように構成されているものである。
【００２８】
このようなレンズケースおよびケア剤容器は、上記のようなコンタクトレンズケアセットを構成する上で有用なものとなる。
【発明の効果】
【００２９】
以上説明したように、本発明によれば、ケア剤容器を水洗い後のレンズケースの乾燥台として用いることができる。そのため、従来のように専用のケースホルダーを使用することなく、水洗後のレンズケースをより手軽にかつ清潔に自然乾燥させることが可能となる。
【図面の簡単な説明】
【００３０】
【図１】本発明にかかるコンタクトレンズケアセット（第１の実施形態）を示す斜視図である。
【図２】ケア剤容器の注ぎ口近傍を示す側面図である。
【図３】レンズケースの一例を示す斜視図である。
【図４】レンズケースの乾燥手順を説明するためのコンタクトレンズケアセットの斜視図である。
【図５】レンズケース乾燥時の状態（ケア剤容器にレンズケースを保持させた状態）を示すコンタクトレンズケアセットの斜視図である。
【図６】レンズケース乾燥時の状態（ケア剤容器にレンズケースを保持させた状態）を示すコンタクトレンズケアセットの要部断面図である。
【図７】本発明にかかるコンタクトレンズケアセット（第２の実施形態）に適用されるレンズケースを示す斜視図である。
【図８】レンズケースの裏面側の斜視図である。
【図９】レンズケースの乾燥手順を説明するためのコンタクトレンズケアセットの斜視図である。
【図１０】ケース本体とケースキャップの係合状態を示すレンズケースの断面図である。
【図１１】レンズケース乾燥時の状態（ケア剤容器にレンズケースを保持させた状態）を示すコンタクトレンズケアセットの要部断面図である。
【発明を実施するための形態】
【００３１】
以下、添付図面を参照しながら本発明の好ましい実施の一形態について詳述する。
【００３２】
図１は、本発明にかかるコンタクトレンズケアセットの第１の実施形態を示す斜視図である。コンタクトレンズケアセット（以下、ケアセットと略す）は、コンタクトレンズ（以下、レンズと略す）を洗浄・消毒・保管するための用具であり、レンズケア剤（液）が収容されるケア剤容器１とレンズケース２とを含む。当例では、レンズケア剤として、例えばレンズの洗浄及び消毒が可能なものが適用されているが、勿論、洗浄又は消毒の何れか一方のみの機能を有するものであってもよい。
【００３３】
ケア剤容器１は、容器本体１０とこれに固定されるボトルキャップ１２とを含む。
【００３４】
容器本体１０は、自立可能なボトル型の容器であって、ポリエチレン（ＰＥ）、ポリプロピレン（ＰＰ）、ポリエチレンテレフタレート（ＰＥＴ）等の樹脂材料により形成されている。図２に示すように、容器本体１０の上端部には口頸部１１が形成されており、前記ボトルキャップ１２がこの口頸部１１に固定されている。
【００３５】
ボトルキャップ１２は、前記口頸部１１に固定されるキャップ本体１４とこれにヒンジ１３ａ，１３ｂを介して回動可能に連結される上蓋１６とからなるヒンジ型キャップである。キャップ本体１４は、その上端部にケア剤の注ぎ口となるノズル１５を備えた逆有底筒型の形状を有している。そして、図６に示すように、口頸部１１の外周面上に雄ねじ１１ａが、キャップ本体１４の内周面に雌ねじ１４ａがそれぞれ形成されており、前記口頸部１１にキャップ本体１４が螺着されることにより容器本体１０にボトルキャップ１２が固定されている。
【００３６】
上蓋１６は、キャップ本体１４との連結部分を支点として、図２の実線に示す閉止位置（キャップ本体１４上に重なってノズル１５を覆う位置）と同図の二点鎖線に示す開放位置（ノズル１５を露出させる位置）とに亘って略水平な仮想軸周りに回動（変位）可能となっている。
【００３７】
上蓋１６には押し上げ操作用の鍔部１８が一体に形成されている。この鍔部１８は、上蓋１６の外周面のうち蓋中心を挟んでヒンジ１３ａ，１３ｂ側とは反対側の範囲に設けられている。この鍔部１８は、上蓋１６が閉止位置にある状態でヒンジ１３ａ，１３ｂの側から斜め上向きに延びるように設けられており（図２参照）、容器本体１０を把持し、その把持した手の親指で鍔部１８を下から押し上げることで、上蓋１６を片手で難なく開く（閉止位置から開放位置に変位させる）ことができる構成となっている。なお、当例では、前記上蓋１６が本発明の容器キャップに相当し、押し上げ操作用の鍔部１８が本発明のキャップ押し上げ操作用の鍔部に相当する。
【００３８】
レンズケース２は、レンズをレンズケア剤と共に収容、保管するためのものである。このレンズケース２は、図１および図３に示すように、ケース本体２０と２つのケースキャップ２４とを有する。ケース本体２０と各ケースキャップ２４とは後記ヒンジ２６を介して互いに連結されており、当例では、このレンズケース２の全体、つまりケース本体２０、ケースキャップ２４およびヒンジ２６がＰＰ等の樹脂材料により一体に形成されている。
【００３９】
ケース本体２０は、レンズを収納するための２つのレンズ収納部２２とこれらを繋ぐ基台部２１とを有する。各レンズ収納部２２は、レンズ収納用凹部２３を備える有底筒状の形状を有している。各レンズ収納用凹部２３は、略球面状の内底面を有しており、一枚のレンズとこれを浸漬させ得る量のレンズケア剤とを収容できるように形成されている。
【００４０】
各ケースキャップ２４は、扁平な逆有底筒型の形状を有し、レンズ収納部２２の外周面上に外嵌させることによって前記レンズ収納用凹部２３を塞いだ状態でレンズ収納部２２に固定されるように構成される。また、このようにケースキャップ２４を閉じた状態で、当該キャップ２４の外周面のうち互いに対向する部分には鍔部２４ａが形成されており、レンズ収納部２２を開く際には、この鍔部２４ａを用いることにより指先で難なくレンズ収納部２２からケースキャップ２４を取り外せるようになっている。
【００４１】
各ケースキャップ２４は、それぞれ撓み変形が可能な略帯状のヒンジ２６を介してレンズ収納部２２の側面部分に連結されている。詳しくは、図３に示すように、ケース本体２０に対して各ケースキャップ２４が互いにレンズ収納部２２の並び方向外側に展開してレンズ収納用凹部２３を開くように、各レンズ収納部２２の側面部分にケースキャップ２４が連結されている。
【００４２】
なお、ケース本体２０には、ボトルキャップ１２の前記上蓋１６と嵌合可能な嵌合用凹部２８が形成されている。この嵌合用凹部２８は、前記レンズ収納部２２の並び方向におけるケース本体２０の中間位置であって前記基台部２１の側面部分に該基台部２１の底面に沿って設けられており、図４に示すように、レンズケース２を裏返した状態（レンズ収納用凹部２３が下向きなる状態）で上蓋１６の前記鍔部１８と嵌合可能に形成されている。そして、このように嵌合用凹部２８と上蓋１６（鍔部１８）とを嵌合させることにより、図５に示すように、レンズケース２を裏返した状態で、かつケア剤容器１の外側から内側（図６の右側から左側）に向かってケース本体２０が先下がりに傾く姿勢でケア剤容器１の上端部にレンズケース２が保持されるようになっている。
【００４３】
なお、図６に示すように、上蓋１６の鍔部１８の上面にはフック１８ａが形成されており、鍔部１８と前記嵌合用凹部２８とを嵌合させると、このフック１８ａが嵌合用凹部２８の内面に形成された凹部２８ａに嵌合し、ケア剤容器１に対してレンズケース２が係止されるようになっている。
【００４４】
上記のようなケアセットを用いてレンズをケアする場合には、ケア剤容器１の上蓋１６を押し上げ、ケア剤容器１に収容されているレンズケア剤をノズル１５からレンズに垂らしてこすり洗いする。そして、さらにレンズケア剤でレンズをすすぎ洗いした後、レンズケース２の各レンズ収納用凹部２３にレンズケア剤を満たし、レンズを各レンズ収納用凹部２３に収容してレンズケア剤に浸漬し、この状態で各レンズ収納部２２にケースキャップ２４を固定して数時間以上放置する。これによりレンズの洗浄・消毒が完了する。
【００４５】
次回、レンズを装着する時には、レンズケース２内のレンズケア剤を廃棄し、レンズケース２を十分水洗いする。そして、レンズケース２を裏返し、ケース本体２０の嵌合用凹部２８をケア剤容器１の上蓋１６（鍔部１８）に嵌合させ、これにより、図５に示すように、レンズケース２をケア剤容器１に保持させる。この際、各ケースキャップ２４は開いた状態としておく。このようにしてレンズケース２を自然乾燥させ、次回の使用に備えておくようにする。
【００４６】
以上のような本発明のケアセットによれば、上記の通り、ケア剤容器１をレンズケース２の乾燥台として用いることができるため、従来のような専用のケースホルダー等を用いることなく手軽にレンズケース２を乾燥させることができる。特に、レンズケース２は、ケースキャップ２４とケース本体２０とが一体に連結されているので、ケア剤容器１に対して難なくレンズケース２全体を保持させた状態で乾燥させることができる。
【００４７】
しかも、レンズケース２は、基台部２１に形成された嵌合用凹部２８を上蓋１６の鍔部１８に嵌合させることによってケア剤容器１に保持させる構成となっているので、各レンズ収納部２２の端面（レンズ収納用凹部２３の口部）やケースキャップ２４の口部がケア剤容器１に接触することがなく、これによってケア剤容器１から各レンズ収納部２２への雑菌等の転移を防止することができる。従って、ケア剤容器１を通常の使用態様で取扱いながらレンズケース２の乾燥台として手軽に用いることができるという利点もある。
【００４８】
また、レンズケース２は、レンズ収納部２２の並び方向においてケース本体２０の外側に各ケースキャップ２４が展開して開くように構成され、又レンズ収納部２２の並び方向においてケース本体２０の中間位置に嵌合用凹部２８が設けられている。つまり、レンズケース２は、その重心位置により近い位置でケア剤容器１に対して保持される構成となっている。従って、レンズケース２を乾燥させる際には、ケア剤容器１に対してバランス良くレンズケース２を保持させることができるという利点もある。
【００４９】
また、上記のケアセットでは、鍔部１８および嵌合用凹部２８が互いに嵌合した状態で、上記の通りケース本体２０が容器本体１０に対してその外側から内側に向かって先下がりに傾いた姿勢で保持されるとともに、このケース本体２０の傾きの方向に沿って鍔部１８および嵌合用凹部２８が互いに嵌脱するように構成されている。そのため、ケア剤容器１に対して重心位置をより近づけた状態でケース本体２０をケア剤容器１に保持させることができる上、ケア剤容器１からのケース本体２０の脱落も起き難くい。特に、嵌合状態では、フック１８ａを介してケース本体２０が鍔部１８に係止されるため、鍔部１８からのケース本体２０の脱落が良好に防止される。従って、レンズケース２をケア剤容器１に対して安定的に保持させた状態で乾燥させることができるという利点もある。
【００５０】
なお、上記実施形態では言及していないが、前記レンズケース２は自立可能に構成されており、自立させた状態で乾燥させることも可能となっている。詳しくは、レンズ収納用凹部２３を閉じた状態から開いた状態までのケースキャップ２４の最大展開角度が１１０°前後に規制されるように構成されており、ケースキャップ２４を展開した状態でレンズケース２を裏返し、各ケースキャップ２４の鍔部２４ａの部分でレンズケース２を載置することで、レンズケース２を逆コ字型の姿勢で自立させ得るように構成されている。これにより、例えばケア剤容器１が無い場合等には、上記のようにレンズケース２を自立させて水洗後のレンズケース２を乾燥させることができるという利点もある。
【００５１】
次に、本発明にかかるケアセットの第２の実施形態について説明する。なお、第２の実施形態にかかるケアセットの基本構成は第１の実施形態のものと共通するため、以下の説明では、第１の実施形態と共通する部分については同一符号を付して説明を省略し、主に相違点について詳細に説明する。
【００５２】
第２の実施形態のケアセットは、図３等に示したレンズケース２に代えて図７に示すようなレンズケース２′を含む。このレンズケース２′は、ケース本体２０と２つのケースキャップ２４とを有する点で第１の実施形態のものと共通するが、ケースキャップ２４がケース本体２０とは別体の構成となっている。
【００５３】
各ケースキャップ２４は、断面略円形でかつ扁平な逆有底筒状の形状をしている。各ケースキャップ２４はいわゆるツイストキャップと呼ばれるもので、詳細図を省略するが、ケースキャップ２４をレンズ収納部２２に対してその上側から押し当てて外嵌させることによりレンズ収納部２２に装着でき、また、当該ケースキャップ２４をレンズ収納部２２周りに回転させると、レンズ収納部２２の外周面に形成される案内用凸部に沿ってケースキャップ２４が持ち上げられ、これによってレンズ収納部２２からケースキャップ２４を取り外しできる構成となっている。
【００５４】
ケース本体２０の裏側には、図８及び図９に示すように、外周に沿ってリブ３０が立設されている。このリブ３０のうちケース本体２０の両端の部分、詳しくは、レンズ収納部２２の並び方向における両端の部分には、所定間隔で並ぶ一対の切欠き部３２，３２がそれぞれ形成されている。これらの切欠き部３２，３２は、ケース本体２０に対してケースキャップ２４を係止するためのものである。つまり、図９，図１０に示すように、ケース本体２０を裏返し、前記切欠き部３２，３２にケースキャップ２４の周壁の一部を差し込むことにより、ケース本体２０の両端にそれぞれケースキャップ２４が係止されるようになっている。詳しくは、ケースキャップ２４の大部分がケース本体２０から外側にはみ出す状態で、ケース本体２０の両端にケースキャップ２４が係止される。
【００５５】
この第２実施形態のケアセットでは、レンズケース２′を乾燥させる際には、ケース本体２０を裏向け、各ケースキャップ２４をケース本体２０の両端に係止する。具体的には、上記の通りケースキャップ２４の周壁をリブ３０の切欠き部３２，３２に差し込む。その後、ケース本体２０の嵌合用凹部２８を第１の実施形態と同様にケア剤容器１の上蓋１６（鍔部１８）に嵌合させ、これによって、図１１に示すようにレンズケース２′をケア剤容器１に保持させる。
【００５６】
このように第２の実施形態のケアセットによれば、ケース本体２０とケースキャップ２４とが別体の構成のものについても、第１の実施形態と同様に、ケア剤容器１を乾燥台として用いてレンズケース２′を乾燥させることができる。
【００５７】
また、この第２の実施形態のケアセットにおいても、レンズケース２′をケア剤容器１に保持させた状態では、各レンズ収納部２２の端面（レンズ収納用凹部２３の口部）やケースキャップ２４の口部がケア剤容器１に接触することがなく、ケア剤容器１からレンズ収納部２２への雑菌等の転移を良好に防止することができる。従って、第１の実施形態と同様に、通常の使用態様でケア剤容器１を取扱いながら、当該ケア剤容器１をレンズケース２′の乾燥台として手軽に用いることができる。
【００５８】
さらに、ケース本体２０のうち各レンズ収納部２２の並び方向両端にケースキャップ２４をそれぞれ係止し、前記並び方向における中間位置でケース本体２０をケア剤容器１に保持させる構成であるため、第１の実施形態と同様に、ケア剤容器１に対してバランス良く安定的にレンズケース２′を保持させることができる。
【００５９】
ところで、以上説明したケアセットは、本発明に係るコンタクトレンズケアセット（本発明に係るレンズケースおよびケア剤容器を含むコンタクトレンズケアセット）の好ましい実施形態の一例であって、その具体的な構成は、本発明の要旨を逸脱しない範囲で適宜変更可能である。
【００６０】
例えば、上記各実施形態のケアセットは、上蓋１６に設けられる押し上げ操作用の鍔部１８をレンズケース２，２′との嵌合部として用いており、当該鍔部１８にレンズケース２，２′（ケース本体２０）の嵌合用凹部２８を嵌合させることにより、レンズケース２，２′をケア剤容器１で保持する構成であるが、前記鍔部１８とは別に専用の嵌合部をボトルキャップ１２や容器本体１０に設けるようにしてもよい。また、実施形態では、ケース本体２０が傾いた姿勢でケア剤容器１に保持されるが（図５，図１１参照）、これはケア剤容器１側の嵌合部として鍔部１８を用いているためであり、ケア剤容器１によるレンズケース２の保持姿勢は、具体的な嵌合部の位置等に応じて、レンズケース２がより良好に乾燥するように適宜選定すればよい。但し、実施形態の構成よれば、レンズケース２，２′の嵌合部として前記鍔部１８を兼用した合理的な構成を達成できるばかりでなく、ケア剤容器１のより高い位置にレンズケース２，２′を保持して乾燥させることができるため、容器載置面からのホコリの巻き上がり等によるレンズケース２，２への異物や雑菌の付着等を良好に回避できるという利点がある。
【００６１】
各実施形態では、ケア剤容器１の凸状部（上蓋１６の鍔部１８）をレンズケース２，２′の凹状部（ケース本体２０の嵌合用凹部２８）に嵌合させることによりケア剤容器１にレンズケース２，２′を保持させているが、勿論、逆の構成であってもよい。すなわち、例えばレンズケース２，２′のケース本体２０に舌片状の凸状部を設け、これをケア剤容器１の容器本体１０に形成した凹状部に差し込むことによりレンズケース２，２′をケア剤容器１に保持させる構成としてもよい。
【００６２】
また、ケア剤容器１およびケース本体２０のうち一方側の嵌合部を着脱可能な構成としてもよい。具体的には、ケース本体２０と嵌合可能な嵌合部を有し、かつケア剤容器１のネック部（容器本体１０の口頸部１１の根本部分）等に着脱可能に装着される嵌合用部材を設ける。例えば嵌合用部材には、弾性変位可能なＣ字側の係止部を形成しておき、この係止部により前記ネット部分をくわえ込むことによりケア剤容器１に装着するようにする。そして、レンズケース２を乾燥させる場合には、この嵌合用部材をケア剤容器１（ネック部）に装着し、この嵌合用部材の前記嵌合部にケース本体２０を嵌合させることによりレンズケース２をケア剤容器１に保持させるようにしてもよい。この場合、ケア剤容器１に対する嵌合用部材の装着位置は、上記ネック部に限らず、ボトルキャップ１２や容器本体１０のボディ部分（ネック部より下側の部分）等であってもよい。
【００６３】
各実施形態では、図５，図１１に示すように、ケア剤容器１に対してその側方部分にレンズケース２が保持されるようになっているが、例えば、ケア剤容器１の頂部、つまりボトルキャップ１２の上蓋１６上面に、ケース本体２０が略水平となるような姿勢でレンズケース２を保持させるように構成してもよい。この場合には、上蓋１６より外側（径方向外側）にレンズ収納部２２が位置するように各レンズ収納部２２の間隔を設定した上で、ケース本体２０の基台部２１のうち両レンズ収納部２２の間の部分を上蓋１６上面に重ねた状態で、当該部分を互いに嵌合させるようにケース本体２０およびボトルキャップ１２を構成すればよい。
【００６４】
また、第１の実施形態のレンズケース２は、ケース本体２０のうちレンズ収納部２２の並び方向両端にそれぞれケースキャップ２４が連結され、各ケースキャップ２４がケース本体２０に対して前記並び方向外側に展開してレンズ収納用凹部２３を開く構成であるが、ケース本体２０に対するケースキャップ２４の連結位置等はこれに限定されるものではない。例えば前記並び方向に各ケースキャップ２４が横並びに（並列に）並び、かつ嵌合用凹部２８の口部とは反対側に各ケースキャップ２４が展開して開くように各ケースキャップ２４をケース本体２０に対して連結した構成としてもよい。但し、このような構成の場合には、ケースキャップ２４を開いた状態でのレンズケース２の重心位置が、第１実施形態の構成に比べるとケア剤容器１から離れ易くなるため、ケア剤容器１によるレンズケース２の保持安定性を確保する観点からは、第１の実施形態のようなレンズケース２の構成が好ましい。
【００６５】
なお、この点は第２の実施形態についても共通である。すなわち、第２の実施形態においても、ケース本体２０裏側のリブ３０のうちレンズ収納部２２を挟んで嵌合用凹部２８の口部とは反対側の位置に切欠き部３２，３２を設け、各ケースキャップ２４をレンズ収納部２２の並び方向に横並びに（並列に）並べた状態でケース本体２０に対して係止する構成としてもよいが、ケア剤容器１によるレンズケース２′の保持安定性を確保する上では、第２の実施形態のように、ケース本体２０のうちレンズ収納部２２の並び方向両端にケースキャップ２４をそれぞれ係止する構成とするのが好ましい。
【００６６】
また、実施形態では特に言及していないが、ケア剤容器１及びレンズケース２，２′の各嵌合部（鍔部１８及び嵌合用凹部２８）は、レンズ収納部２２からケースキャップ２４を外した状態でのみ互いに嵌合し得るように構成してもよい。この構成によれば、うっかりケースキャップ２４を装着したままレンズケース２，２′を乾燥させるといった誤操作を回避する上で有効となる。
【００６７】
また、各実施形態では、上蓋１６を押し上げてレンズケア剤を注ぐタイプのボトルキャップ１２を備えたケア剤容器１に本発明が適用されているが、勿論、上蓋を捻って脱着するねじ式のボトルキャップや、上蓋が無く、キャップ本体に可倒式のノズルが設けられるタイプのボトルキャップを備えるケア剤容器についても本発明は適用可能である。また、第２実施形態では、レンズケース２′としていわゆるツイストキャップ構造のものに本発明が適用されているが、レンズ収納部に対してレンズケースを捻って脱着する従来周知のねじ式のレンズケースについても本発明（第２の実施形態）は適用可能である。
【図１】
2010178994.tif 000003
【図２】
2010178994.tif 000004
【図３】
2010178994.tif 000005
【図４】
2010178994.tif 000006
【図５】
2010178994.tif 000007
【図６】
2010178994.tif 000008
【図７】
2010178994.tif 000009
【図８】
2010178994.tif 000010
【図９】
2010178994.tif 000011
【図１０】
2010178994.tif 000012
【図１１】
2010178994.tif 000013